(57)【要約】      （修正有）【課題】複数の録画装置において同一の番組を録画したデータを記録する。【解決手段】第１の録画装置が、録画の対象となる番組を特定する情報を含む予約情報の入力を受け付け、入力された予約情報をメモリに記憶し、通信ネットワークを介して通信可能に接続する第２の録画装置に予約情報を送信し、メモリに記憶されている予約情報に基づいて番組を録画し、第２の録画装置が、第１の録画装置から送信される予約情報を受信し、受信した予約情報をメモリに記憶し、メモリに記憶されている予約情報に基づいて番組を録画することとする。【選択図】図１
2005311793.tif 000002
【特許請求の範囲】
【請求項１】
放送される同一の番組を複数の録画装置に録画する録画方法であって、
第１の録画装置が、
録画の対象となる番組を特定する情報を含む予約情報の入力を受け付け、
入力された前記予約情報をメモリに記憶し、
通信ネットワークを介して通信可能に接続する第２の録画装置に前記予約情報を送信し、
前記メモリに記憶されている前記予約情報に基づいて前記番組を録画し、
前記第２の録画装置が、
前記第１の録画装置から送信される前記予約情報を受信し、
受信した前記予約情報をメモリに記憶し、
前記メモリに記憶されている前記予約情報に基づいて前記番組を録画すること、
を特徴とする録画方法。
【請求項２】
請求項１に記載の録画方法であって、
前記第１の録画装置及び前記第２の録画装置の夫々は、前記予約情報の管理を行う予約情報管理装置と通信可能に接続し、
前記第１の録画装置は、前記第２の録画装置に送信する前記予約情報に前記第２の録画装置の識別情報を付帯させて前記予約情報管理装置に送信し、
前記予約情報管理装置は、前記第１の録画装置から送信される前記予約情報を受信し、受信した前記予約情報と、前記予約情報に付帯されている前記識別情報とを対応付けてメモリに記憶し、
前記第２の録画装置は、前記予約情報を取得するためのコマンドである予約情報取得要求を前記予約情報管理装置に送信し、
前記予約情報管理装置は、前記第２の録画装置から送信される前記予約情報取得要求を受信し、前記予約情報取得要求の送信元である前記第２の録画装置に対応する前記予約情報を前記メモリから抽出し、抽出した前記予約情報を前記第２の録画装置に送信し、
前記第２の録画装置は、前記予約情報管理装置から前記予約情報を受信すること、
を特徴とする録画方法。
【請求項３】
請求項１に記載の録画方法であって、
前記第１の録画装置は、
前記通信ネットワークに接続している前記第２の録画装置を検出し、
検出した前記第２の録画装置を示す情報を一覧表示し、
選択された前記第２の録画装置を特定する情報の入力を受け付け、
入力された情報により特定される前記第２の録画装置に対して前記予約情報を送信すること、
を特徴とする録画方法。
【請求項４】
請求項３に記載の録画方法であって、
前記第２の録画装置の検出は、ＵＰｎＰの規格に従って行われること、
を特徴とする録画方法。
【請求項５】
請求項１に記載の録画方法であって、
前記番組はデジタル放送によって放送されること、
を特徴とする録画方法。
【請求項６】
請求項５に記載の録画方法であって、
前記番組は複製することが禁止されている番組であること、
を特徴とする録画方法。
【請求項７】
請求項２に記載の録画方法であって、
前記予約情報には、前記番組の属性を示す情報である番組属性情報が含まれ、
前記第２の録画装置は、前記予約情報管理装置に送信する前記予約情報取得要求に、前記番組属性情報の条件を示す番組条件情報を設定して送信し、
前記予約情報管理装置は、前記メモリに記憶されている前記予約情報のうち、前記番組属性情報が前記予約情報取得要求に設定されている前記番組条件情報に該当するものを抽出すること、
を特徴とする録画方法。
【請求項８】
放送される番組を録画装置に録画する録画方法であって、
第１の録画装置が、
録画の対象となる番組を特定する情報を含む予約情報の入力を受け付け、
入力された前記予約情報をメモリに記憶し、
通信ネットワークを介して通信可能に接続する第２の録画装置に前記予約情報を送信し、
前記第２の録画装置が、
前記第１の録画装置から送信される前記予約情報を受信し、
受信した前記予約情報をメモリに記憶し、
前記メモリに記憶されている前記予約情報に基づいて前記番組を録画し、
前記録画されたデータである録画データを前記第１の録画装置に送信し、
前記第１の録画装置が、
前記第２の録画装置から前記録画データを受信し、
受信した前記録画データを記録媒体に記録すること、
を特徴とする録画方法。
【請求項９】
請求項８に記載の録画方法であって、
前記第１の録画装置及び前記第２の録画装置の夫々は、前記予約情報の管理を行う予約情報管理装置と通信可能に接続し、
前記第１の録画装置は、前記第２の録画装置に送信する前記予約情報に前記第２の録画装置の識別情報を付帯させて前記予約情報管理装置に送信し、
前記予約情報管理装置は、前記第１の録画装置から送信される前記予約情報を受信し、受信した前記予約情報と、前記予約情報に付帯されている前記識別情報とを対応付けてメモリに記憶し、
前記第２の録画装置は、前記予約情報を取得するためのコマンドである予約情報取得要求を前記予約情報管理装置に送信し、
前記予約情報管理装置は、前記第２の録画装置から送信される前記予約情報取得要求を受信し、前記予約情報取得要求の送信元となる前記第２の録画装置の前記識別情報に対応する前記予約情報を前記メモリから抽出し、抽出した前記予約情報を前記第２の録画装置に送信し、
前記第２の録画装置は、前記予約情報管理装置から前記予約情報を受信し、受信した前記予約情報をメモリに記憶すること、
を特徴とする録画方法。
【請求項１０】
請求項８に記載の録画方法であって、
前記第１の録画装置は、前記予約情報に前記録画データの属性を特定する情報であるデータ属性情報を設定して前記第２の録画装置に送信し、
前記第２の録画装置は、前記予約情報に設定されている前記データ属性情報に応じて前記録画を行うこと、
を特徴とする録画方法。
【請求項１１】
請求項１０に記載の録画方法であって、
前記データ属性情報は、前記録画データの解像度、データ形式、又は圧縮方式の少なくとも何れかであること、
を特徴とする録画方法。
【請求項１２】
放送される同一の番組を録画する録画システムであって、
通信ネットワークを介して互いに通信可能に接続する第１及び第２の録画装置を含み、
前記第１の録画装置は、
録画の対象となる番組を特定する情報を含む予約情報の入力を受け付ける予約情報入力部と、
入力された前記予約情報を記憶する第１の予約情報記憶部と、
前記予約情報を前記第２の録画装置に送信する予約情報送信部と、
前記第１の予約情報記憶部に記憶されている前記予約情報に基づいて前記番組を録画する第１の録画処理部と、
を備え、
前記第２の録画装置は、
前記第１の録画装置から送信される前記予約情報を受信する予約情報受信部と、
受信した前記予約情報を記憶する第２の予約情報記憶部と、
前記第２の予約情報記憶部に記憶されている前記予約情報に基づいて前記番組を録画する第２の録画処理部と、
を備えることを特徴とする録画システム。
【請求項１３】
請求項１２に記載の録画システムであって、
前記第１の録画装置と前記第２の録画装置の夫々と通信可能に接続し、前記予約情報の管理を行う予約情報管理装置を含み、
前記第１の録画装置の前記予約情報送信部は、前記第２の録画装置に送信する前記予約情報に前記第２の録画装置の識別情報を付帯させて前記予約情報管理装置に送信し、
前記予約情報管理装置は、
前記第１の録画装置から送信される前記予約情報を受信する第１の予約情報受信部と、
受信した前記予約情報と、前記予約情報に付帯されている前記識別情報とを対応付けて記憶する第３の予約情報記憶部と、
を備え、
前記第２の録画装置は、
前記予約情報を取得するためのコマンドである予約情報取得要求を前記予約情報管理装置に送信する予約情報取得要求送信部を備え、
前記予約情報管理装置は、
前記予約情報取得要求を受信する予約情報取得要求受信部と、
受信した前記予約情報取得要求の送信元である前記第２の録画装置の前記識別情報に対応する前記予約情報を前記第３の予約情報記憶部から抽出する予約情報抽出部と、
抽出した前記予約情報を前記第２の録画装置に送信する第２の予約情報送信部と、
を備え、
前記第２の録画装置が備える前記予約情報受信部である第２の予約情報受信部は、前記予約情報管理装置から送信される前記予約情報を受信し、
前記第２の録画装置が備える前記第２の予約情報記憶部は、前記予約情報管理装置から送信された前記予約情報を記憶すること、
を特徴とする録画システム。
【請求項１４】
請求項１２に記載の録画システムであって、
前記第１の録画装置は、
前記通信ネットワークに接続している前記第２の録画装置を検出する録画装置検出部と、
検出した前記第２の録画装置に関する情報を表示し、前記第２の録画装置を特定する情報の入力を受け付けるためのユーザインタフェースと、
を備え、
前記予約情報送信部は、前記ユーザインタフェースから入力された情報により特定される前記第２の録画装置に対して前記予約情報を送信すること、
を特徴とする録画システム。
【請求項１５】
放送される番組の録画を行う録画装置であって、
録画の対象となる番組を特定する情報を含む予約情報の入力を受け付ける予約情報入力部と、
入力された前記予約情報を記憶する予約情報記憶部と、
通信ネットワークを介して通信可能に接続する他の録画装置に前記予約情報を送信する予約情報送信部と、
前記通信ネットワークを介して通信可能に接続する他の録画装置から前記予約情報を受信して前記予約情報記憶部に記憶する予約情報受信部と、
前記予約情報記憶部が記憶している前記予約情報に基づいて前記番組を録画する録画処理部と、
を備えることを特徴とする録画装置。
【請求項１６】
請求項１５に記載の録画装置であって、
前記通信ネットワークに接続している他の録画装置を検出する録画装置検出部と、
検出した前記他の録画装置を示す情報を一覧表示し、前記他の録画装置を特定する情報の入力を受け付けるためのユーザインタフェースと、を備え、
前記予約情報送信部は、前記ユーザインタフェースから入力された情報により特定される前記他の録画装置に対して前記予約情報を送信すること、
を特徴とする録画装置。
【請求項１７】
請求項１５に記載の録画装置であって、
ハードディスクドライブを備え、
前記録画処理部は、前記録画を前記ハードディスクドライブに対して行うこと、
を特徴とする録画装置。
【請求項１８】
放送される番組の録画に係る予約情報を管理する予約情報管理装置であって、
第１の録画装置から送信される、録画を行う第２の録画装置の識別情報が付帯された、録画の対象となる番組を特定する情報を含む予約情報を受信する予約情報受信部と、
受信した前記予約情報と前記予約情報に付帯されている前記第２の録画装置の識別情報とを対応付けて記憶する予約情報記憶部と、
前記第２の録画装置から送信される、前記予約情報を取得するためのコマンドである予約情報取得要求を受信する予約情報取得要求受信部と、
受信した予約情報取得要求受信部の送信元である前記第２の録画装置の前記識別情報に対応する前記予約情報を前記メモリから抽出し、抽出した前記予約情報を前記第２の録画装置に送信する予約情報送信部と、
を備えることを特徴とする予約情報管理装置。
【請求項１９】
ＣＰＵとメモリとを備え、放送される番組を録画する録画装置に、
録画の対象となる番組を特定する情報を含む予約情報の入力を受け付けるステップと、
入力された前記予約情報を前記メモリに記憶するステップと、
前記予約情報を他の録画装置に送信するステップと、
前記予約情報を他の録画装置から受信するステップと、
受信した前記予約情報を前記メモリに記憶するステップと、
前記メモリに記憶されている前記予約情報に基づいて前記番組を録画するステップと、
を実行させるプログラム。
【請求項２０】
ＣＰＵとメモリとを備え、放送される番組を録画する録画装置に、
録画対象となる番組を特定する情報を含む予約情報の入力を受け付けるステップと、
入力された前記予約情報を前記メモリに記憶するステップと、
前記予約情報を他の録画装置に送信するステップと、
前記メモリに記憶されている前記予約情報に基づいて前記番組を録画するステップと、
を実行させるプログラム。
【請求項２１】
ＣＰＵとメモリとを備え、放送される番組を録画する録画装置に、
録画対象となる番組を特定する情報を含む予約情報を他の録画装置から受信するステップと、
受信した前記予約情報を前記メモリに記憶するステップと、
前記メモリに記憶されている前記予約情報に基づいて前記番組を録画するステップと、
を実行させるプログラム。
【発明の詳細な説明】
【技術分野】
【０００１】
本発明は、録画方法、録画システム、録画装置、予約情報管理装置、及びプログラムに関する。
【背景技術】
【０００２】
放送される番組を録画する装置として、従来からビデオテープレコーダが知られている。近年では、ＤＶＤ（Digital Versatile Disk）やハードディスクなどの記録媒体に録画を行う録画装置も開発されている。
【特許文献１】特開２００３−３３９０４１号公報
【発明の開示】
【発明が解決しようとする課題】
【０００３】
近年の携帯機器の普及により、録画装置において録画された番組を、外出先等においても視聴したいという要望が高まっている。例えば、特許文献１には、録画サーバにおいて番組の録画を行い、録画されたデータをユーザ端末に転送することにより、録画サーバで録画された番組をユーザ端末で視聴できるようにする技術が開示されている。
【０００４】
一方、録画装置において録画される番組を、後から視聴するために携帯機器にも録画しておきたいという要望もある。その場合、録画装置において録画されたデータを、例えばデータ転送により、録画装置から携帯機器に複製する方法が考えられる。しかしながら、番組によっては、著作権保護のために複製が禁止されていることがあり、録画装置で録画されたデータを他の機器に複製することが許されない場合がある。
【０００５】
本発明は、このような背景を鑑みてなされたものであり、複数の録画装置において同一の番組を録画したデータを記録することのできる録画方法、録画システム、録画装置、予約情報管理装置、及びプログラムを提供することを目的とする。
【課題を解決するための手段】
【０００６】
上記課題を解決するための本発明の主たる発明は、放送される同一の番組を複数の録画装置に録画する録画方法であって、第１の録画装置が、録画の対象となる番組を特定する情報を含む予約情報の入力を受け付け、入力された前記予約情報をメモリに記憶し、通信ネットワークを介して通信可能に接続する第２の録画装置に前記予約情報を送信し、前記メモリに記憶されている前記予約情報に基づいて前記番組を録画し、前記第２の録画装置が、前記第１の録画装置から送信される前記予約情報を受信し、受信した前記予約情報をメモリに記憶し、前記メモリに記憶されている前記予約情報に基づいて前記番組を録画することとする。
【発明の効果】
【０００７】
本発明によれば、複数の録画装置において同一の番組を録画したデータを記録することのできる録画方法、録画システム、録画装置、予約情報管理装置、及びプログラムを提供することができる。
【発明を実施するための最良の形態】
【０００８】
＝＝＝録画予約システム１００＝＝＝
図１は、本実施形態に係る録画予約システム１００の一構成例を示す図である。  
録画予約システム１００は、放送される番組を録画する１台以上の録画装置２００と、番組を特定する情報や録画の開始時刻、録画の終了時刻などを含む予約情報を管理する録画予約サーバ８００（予約情報管理装置）とから構成される。録画装置２００と録画予約サーバ８００とは通信ネットワーク１１０を介して接続されている。通信ネットワーク１１０は、例えば、家庭内に敷設されるＬＡＮ（Local Area Network）や、インターネットなどのＷＡＮ（Wide Area Network）である。
【０００９】
本実施形態の録画予約システム１００では、録画装置１（２００）及び録画装置２（２００）の２台の録画装置２００が夫々通信ネットワーク１１０に接続している。録画装置１（２００）は、ユーザから予約情報の入力を受け付け、入力された予約情報に応じて予約された番組の録画を行う。また、録画装置１（２００）は、例えば、ＵＰｎＰ（Universal Plug and Play）に規定されるＳＳＤＰ（Simple Service Discover Protocol）に従って、録画装置２（２００）や録画予約サーバ８００を検出する。録画装置１（２００）は、ユーザから入力された予約情報を、録画予約サーバ８００を介して録画装置２（２００）に送信する。録画装置２（２００）は、録画装置１（２００）から受信した予約情報に応じて番組の録画を行う。
【００１０】
＝＝＝録画装置２００＝＝＝
図２は、録画装置２００の構成を示す図である。図２に示すように、録画装置２００は、チューナ２０１、ＣＰＵ２０２、ＲＡＭ（Random Access Memory）２０３、ビデオ出力部２０４、赤外線インタフェース部２０５、圧縮伸長部２０６、ハードディスクドライブ２０７、ネットワークインタフェース部２０８、ＡＤ変換部２０９、タイマ２１０を備えている。これらの各部は内部バス２２０によって接続されている。
【００１１】
チューナ２０１は、放送されている電波を受信する。チューナ２０１は、受信した信号を復調して映像や音声のアナログ信号を取得し、取得したアナログ信号をＡＤ変換部２０９に入力する。ＡＤ変換部２０９は、チューナ２０１から入力されるアナログ信号をデジタル信号に変換する。なお、チューナ２０１がデジタル放送を受信する場合、チューナ２０１は受信した信号を復調して、複数の番組の映像や音声のデータが多重化されたデータストリームを取り出す。このとき録画装置２００は、ＡＤ変換部２０９に替えて、チューナ２０１によって復調された信号をデコードして映像や音声のデータストリームを取り出すデコード部を備えるようにする。
【００１２】
ハードディスクドライブ２０７は、録画された映像や音声のデータ（以下、録画データという）を記録するための記録媒体である。圧縮伸長部２０６は、ＡＤ変換部２０９が変換したデジタル信号を圧縮し、ハードディスクドライブ２０７に記録する。圧縮伸長部２０６は、例えば、ＭＰＥＧ２（Mortion Picture Experts Group 2）の方式に従ってデジタル信号を圧縮し、ハードディスクドライブ２０７に記録する。ただし、圧縮方式にはＭＰＥＧ２以外にも様々な公知の方式を利用することができる。なお、チューナ２０１がデジタル放送を受信する場合、受信したデータストリームがＭＰＥＧ２などの圧縮されたデータであれば、圧縮伸長部２０６は受信したデータストリームをそのままハードディスクドライブ２０７に記録するようにしてもよい。
【００１３】
圧縮伸長部２０６は、上記の圧縮処理以外にも、ハードディスクドライブ２０７に記録されている圧縮された録画データを伸長して映像信号や音声信号に変換する処理も行う。圧縮伸長部２０６によって伸長された映像信号は、ビデオ出力部２０４によって、ディスプレイやテレビ装置などの外部の出力装置に出力される。また、ビデオ出力部２０４は、ＡＤ変換部２０９によって変換された映像信号を出力することもできる。ビデオ出力部２０４が出力する映像信号は、例えば、ＮＴＳＣ（National Television System Committee）コンポジット信号である。
【００１４】
ＲＡＭ２０３は、プログラムやデータを記憶するメモリである。ＣＰＵ２０２は、ＲＡＭ２０３に記憶されているプログラムを実行することにより、録画装置２００全体の制御を行う。
【００１５】
赤外線インタフェース２０５は、ユーザが操作するリモートコントローラ２５０から送信される赤外線信号を受信するインタフェースである。赤外線インタフェース２０５は、受信した赤外線信号が示す情報をＣＰＵ２０２に通知する。ＣＰＵ２０２は、赤外線インタフェース２０５から通知を受けると、通知された情報に応じて、録画装置２００の各部の制御を行う。なお、リモートコントローラ２５０は、ユーザが録画装置２００を制御するための装置である。リモートコントローラ２５０は複数のボタンを有し、ユーザによって押下されたボタンを示す信号を録画装置２００に送信する。リモートコントローラ２５０は、例えば、「再生ボタン」が押されると、「再生ボタン」が押されたことを示す信号を赤外線信号に重畳させて録画装置２００に送信する。
【００１６】
ネットワークインタフェース部２０８は、通信ネットワーク１１０に接続するためのインタフェースである。ネットワークインタフェース部２０８は、例えば、イーサネット（登録商標）などの、ＬＡＮやＷＡＮに用いられるプロトコルに従って、通信ネットワーク１１０に接続する他の機器との間の通信を行う。
【００１７】
タイマ２１０は、現在の時刻を各部に提供する。タイマ２１０は、録画装置２００が備える内部バッテリー（不図示）により電源供給され、録画装置２００の電源が切断されているときにも動作する。
【００１８】
図３は、録画装置２００の機能ブロック図である。録画装置２００は、予約情報入力部３０１、予約情報送信部３０２、予約情報取得要求送信部３０３、予約情報受信部３０４、録画処理部３０５、再生処理部３０６、装置検出部３０７（録画装置検出部）、予約テーブル３１０（予約情報記憶部）を備える。  
予約テーブル３１０は、１つ以上の予約情報を管理する。予約情報の詳細については後述する。
【００１９】
予約入力部３０１は、ユーザから予約情報の入力を受け付けるユーザインタフェースである。本実施形態において、ユーザは、ディスプレイなどに表示された情報を閲覧し、リモートコントローラ２５０を操作することによって予約情報の入力を行う。予約入力部３０１は、入力された予約情報を予約テーブル３１０に登録する。  
予約情報送信部３０２は、ユーザから入力された予約情報を、録画予約サーバ８００に送信する。  
予約情報取得要求送信部３０３は、録画予約サーバ８００に記憶されている予約情報を取得するためのコマンドである予約情報取得要求を録画予約サーバ８００に送信する。  
予約情報受信部３０４は、録画予約サーバ８００から予約情報を受信し、受信した予約情報を予約テーブル３１０に登録する。
【００２０】
録画処理部３０５は、予約テーブル３１０に登録されている予約情報に指定されている録画開始時刻から録画終了時刻までの間、予約情報に指定されている番組の録画を行う。番組の録画は、録画処理部３０５がチューナ２０１、ＡＤ変換部２０９、及び圧縮伸長部２０６を制御することによって行われる。録画処理部３０５の制御により、ＡＤ変換部２０９は、チューナ２０１が復調した信号をデジタル信号に変換し、圧縮伸長部２０６は、ＡＤ変換部２０９が変換したデジタル信号を圧縮し、圧縮したデータをハードディスクドライブ２０７に書き込む。
【００２１】
再生処理部３０６は、録画された番組の再生を行う。番組の再生は、再生処理部３０６が圧縮伸長部２０６及びビデオ出力部２０４を制御することによって行われる。再生処理部３０２の制御により、圧縮伸長部２０６がハードディスクドライブ２０７に書き込まれている録画データを伸長し、ビデオ出力部２０４が伸長された映像信号を出力する。  
装置検出部３０７は、ＵＰｎＰに規定されるＳＳＤＰに従って、他の録画装置２００や録画予約サーバ８００などの、通信ネットワーク１１０に接続している機器を検出する。
【００２２】
なお、予約情報入力部３０１、予約情報送信部３０２、予約情報取得要求送信部３０３、予約情報受信部３０４、録画処理部３０５、再生処理部３０６、及び装置検出部３０７は、録画装置２００のＣＰＵ２０２がＲＡＭ２０３に記憶されているプログラムを実行することにより実現される。また、予約テーブル３１０は、ＲＡＭ２０３やハードディスクドライブ２０７などの記憶装置上に実現される。
【００２３】
＝＝＝録画予約サーバ８００＝＝＝
図４は、録画予約サーバ８００の一構成例を示す図である。録画予約サーバ８００は、ＣＰＵ８０１、ＲＡＭ８０２、ハードディスクドライブ８０３、ネットワークインタフェース部８０４、タイマ８０５を備える。これらの各部は内部バス８２０によって接続されている。
【００２４】
ＣＰＵ８０１は録画予約サーバ８００の全体の制御を行う。ＲＡＭ８０２及びハードディスクドライブ８０３は、プログラムやデータを記憶する記憶装置である。ＣＰＵ８０１は、ＲＡＭ８０２に記憶されているプログラムを実行することにより、後述する予約情報の抽出機能などの各種の機能を実現する。ネットワークインタフェース部８０４は、通信ネットワーク１１０に接続するためのインタフェースである。ネットワークインタフェース部８０４は、例えば、イーサネット（登録商標）などの、ＬＡＮやＷＡＮに用いられるプロトコルに従って、通信ネットワーク１１０に接続する他の機器との間の通信を行う。タイマ８０５は、現在の時刻を他のデバイスに提供する。
【００２５】
図５は、録画予約サーバ８００の機能ブロック図である。図５に示すように、録画予約サーバ８００は、予約情報受信部４０１、予約情報取得要求受信部４０２、予約情報抽出部４０３、予約情報送信部４０４、予約テーブル４１０（予約情報記憶部）を備えている。  
予約テーブル４１０は複数の予約情報を管理する。
【００２６】
予約情報受信部４０１は、録画装置２００から予約情報を受信し、予約テーブル４１０に登録する。  
予約情報取得要求受信部４０２は、録画装置２００から予約情報を取得するためのコマンドである予約情報取得要求を受信する。予約情報取得要求には、後述するように、予約テーブル４１０に登録されている予約情報を抽出するための条件が指定されている。予約情報抽出部４０３は、受信した予約情報取得要求に指定されている条件に合う予約情報を予約テーブル４１０から抽出する。予約情報送信部４０４は、抽出した予約情報を録画装置２００に送信する。
【００２７】
なお、予約情報受信部４０１、予約情報取得要求受信部４０２、予約情報抽出部４０３、及び予約情報送信部４０４は、録画予約サーバ８００のＣＰＵ８０１がＲＡＭ８０２に記憶されているプログラムを実行することにより実現される。予約テーブル４１０は、ＲＡＭ８０２やハードディスクドライブ８０３などの記憶装置上に実現される。
【００２８】
＝＝＝予約情報＝＝＝
図６は、録画予約サーバ８００が備える予約テーブル４１０と、予約テーブル４１０に登録される予約情報７１０の夫々の構成を説明する図である。録画予約サーバ８００が備える予約テーブル４１０には、１つ以上の予約情報７１０が登録される。なお、録画装置２００が備える予約テーブル３１０も、録画予約サーバ８００が備える予約テーブル４１０と同様の構成となっている。
【００２９】
予約情報７１０は、送信元装置ＩＤフィールド７１１、送信先装置ＩＤフィールド７１２、番組ＩＤフィールド７１３、番組タイトルフィールド７１４、放送局ＩＤフィールド７１５、録画開始時刻フィールド７１６、録画終了時刻フィールド７１７、録画予約登録時刻フィールド７１８を備える。
【００３０】
送信元装置ＩＤフィールド７１１には、ある録画装置２００から他の録画装置２００に送信される予約情報７１０について、送信元となる録画装置２００の識別情報である装置ＩＤが設定される。装置ＩＤには、例えば、ＵＰｎＰに規定されるＵＤＮ（Unique Device Name）を用いることができる。送信先装置ＩＤフィールド７１２には、予約情報７１０の送信先となる録画装置２００の装置ＩＤが設定される。例えば、録画装置１（２００）から録画予約サーバ８００を介して録画装置２（２００）に予約情報が送信される場合、送信元装置ＩＤフィールド７１１には、録画装置１（２００）の装置ＩＤが設定され、送信先装置ＩＤフィールド７１２には、録画装置２（２００）の装置ＩＤが設定される。
【００３１】
番組ＩＤフィールド７１３には、録画の対象となる番組を特定するための情報である番組ＩＤが設定される。番組タイトルフィールド７１４には、録画の対象となる番組のタイトルを表す情報が設定される。
【００３２】
放送局ＩＤフィールド７１５には、録画の対象となる番組が放送される放送局を特定するための情報である放送局ＩＤが設定される。録画開始時刻フィールド７１６には、録画を開始する時刻が設定される。録画終了時刻フィールド７１７には、録画を終了する時刻が設定される。  
録画予約登録時刻フィールド７１８には、予約情報７１０が予約テーブル４１０に登録された時刻が設定される。
【００３３】
＝＝＝パケット５００＝＝＝
録画装置２００と録画予約サーバ８００との間のコマンドや予約情報７１０などのやりとりはパケット５００を用いて行われる。パケット５００は、例えば、ＳＯＡＰ（Simple Object Access Protocol）に規定される方式に従って送受信される。
【００３４】
図７は、録画装置２００と録画予約サーバ８００との間で授受されるパケット５００の構成を示す図である。パケット５００は、コマンドフィールド５０１と、データフィールド５０２とを備える。
【００３５】
データフィールド５０２には、録画装置２００と録画予約サーバ８００との間でやりとりされるデータが設定される。  
コマンドフィールド５０１には、パケット５００がどのような種類のものであるのかを示す情報が設定される。本実施形態では、コマンドフィールド５０１には、“１”〜“５”のいずれかの値が設定される。
【００３６】
コマンドフィールド５０１の値が“１”である場合、パケット５００は、予約情報７１０を録画予約サーバ８００の予約テーブル４１０に登録するように指示するコマンドである予約情報登録要求である。予約情報登録要求のデータフィールド５０２には予約情報７１０が設定される。
【００３７】
コマンドフィールド５０１の値が“２”である場合、パケット５００は、上記予約情報登録要求に対する応答である予約情報登録完了メッセージである。予約情報登録完了メッセージのデータフィールド５０２には、録画予約サーバ８００において予約情報７１０が予約テーブル４１０に登録されたかどうかを示す情報が設定される。
【００３８】
コマンドフィールド５０１の値が“３”である場合、パケット５００は、予約情報取得要求である。予約情報取得要求のデータフィールド５０２には、予約情報７１０を抽出するための条件として、録画装置２００の装置ＩＤが設定される。録画予約サーバ８００では、後述するように、予約情報取得要求のデータフィールド５０２に設定されている装置ＩＤと同じ装置ＩＤが設定されている予約情報７１０を抽出する処理が行われる。
【００３９】
コマンドフィールド５０１の値が“４”である場合、パケット５００は、上記予約情報取得要求に対する応答である予約情報応答メッセージである。予約情報応答メッセージのデータフィールド５０２には、録画予約サーバ８００の予約テーブル４１０から、上記の予約情報取得要求に指定された装置ＩＤをキーとして抽出された予約情報７１０が設定される。
【００４０】
以下に、本実施形態の録画予約システム１００における録画処理の流れについて説明する。本実施形態では、録画装置１（２００）に対してある番組の録画予約がされると、録画装置２（２００）においても同じ番組についての録画予約がされて、録画装置１（２００）と録画装置２（２００）の夫々において同じ番組が録画される。
【００４１】
＝＝＝録画予約処理＝＝＝
図８は、録画装置１（２００）において録画予約が行われるときの処理の流れを説明するための図である。  
録画装置１（２００）の予約情報入力部３０１は、ユーザが操作するリモートコントローラ２５０から番組ＩＤ、番組のタイトル、録画の開始時刻、録画の終了時刻などの予約情報の入力を受け付ける（Ｓ６０１）。予約情報入力部３０１は、入力された情報から予約情報７１０を生成し、予約テーブル３１０に登録する（Ｓ６０２）。このようにして、録画装置１（２００）において番組の録画予約がなされる。
【００４２】
なお、番組のタイトル、録画の開始時刻、録画の終了時刻といった番組の属性を示す情報（以下、番組属性情報という）については、例えば、録画装置１（２００）がデジタル放送のＥＰＧ（Electronic Program Guide）を受信し、ＥＰＧから取得するようにすることもできる。また、例えば、放送局が運用するコンピュータが番組属性情報を管理するようにし、録画装置１（２００）が放送局のコンピュータに接続して番組のタイトルや放送時間などを取得するようにしてもよい。
【００４３】
録画装置１（２００）において番組の録画予約がなされると、録画装置１（２００）は、録画予約サーバ８００を介して、予約テーブル３１０に登録された予約情報７１０を録画装置２（２００）に送信する。以下、録画装置１（２００）から録画装置２（２００）に予約情報７１０が送信される処理について説明する。
【００４４】
＝＝＝予約情報登録処理＝＝＝
まず、予約情報７１０を録画予約サーバ８００に登録する予約情報登録処理が行われる。図９は、予約情報登録処理の流れを説明するための図である。
【００４５】
録画装置１（２００）において、装置検出部３０７がＵＰｎＰに規定されるＳＳＤＰに従って通信ネットワーク１１０に接続している録画装置２００を検出する。ビデオ出力部２０４は、検出した録画装置２００を特定するための情報の一覧と、予約テーブル３１０に登録されている予約情報７１０の一覧とを、ディスプレイなどの出力装置に出力する（Ｓ３１１）。なお、装置を特定するための情報とは、例えば、端末ＩＤやアドレスなどの情報である。また、録画装置１（２００）は、ＳＳＤＰによって取得できる他の装置についての情報を表示するようにしてもよい。
【００４６】
録画装置１（２００）の予約情報入力部３０１は、ユーザのリモートコントローラ２５０から、どの予約情報７１０をどの録画装置２００に送信するのかを指定する情報の入力を受け付ける（Ｓ３１２）。予約情報入力部３０１は、指定された予約情報７１０の送信先装置ＩＤフィールド７１２に、指定された録画装置２００である録画装置２（２００）の端末ＩＤを設定する（Ｓ３１３）。また、予約情報入力部３０１は、指定された予約情報７１０の送信元装置ＩＤフィールド７１１に、録画装置１（２００）の端末ＩＤを設定する。予約情報送信部３０２は、パケット５００のコマンドフィールド５０１に“１”を設定した予約情報登録要求を生成し、生成した予約情報登録要求のデータフィールド５０２に、上記の予約情報７１０を設定する。予約情報送信部３０２は、生成した予約情報登録要求を録画予約サーバ８００に送信する（Ｓ３１４）。
【００４７】
録画予約サーバ８００において、予約情報受信部４０１は、録画装置１（２００）から送信された予約情報登録要求を受信する（Ｓ３１５）。予約情報受信部４０１は、受信した予約情報登録要求のデータフィールド５０２に設定されている予約情報７１０の夫々について、タイマ８０５から取得した現在時刻を録画予約登録時刻フィールド７１８に設定し、予約テーブル４１０に登録する（Ｓ３１６）。
【００４８】
録画予約サーバ８００は、受信した予約情報登録要求に設定されていた予約情報７１０の登録が終わると、パケット５００のコマンドフィールドに“２”を設定した予約情報登録完了メッセージを生成する（Ｓ３１７）。録画予約サーバ８００は、生成した予約情報登録完了メッセージを、予約情報登録要求の送信元である録画装置１（２００）に送信する（Ｓ３１８）。
【００４９】
録画装置１（２００）は、録画予約サーバ８００から予約情報登録完了メッセージを受信すると（Ｓ３１９）、例えば、予約情報登録完了メッセージのデータフィールド５０２に設定されている値に応じて、予約の送信が完了あるいは失敗した旨のメッセージの出力などを行う。
【００５０】
以上の予約情報登録処理によって、予約情報７１０が録画予約サーバ８００の予約テーブル４１０に登録されると、録画装置２（２００）が録画予約サーバ８００から予約情報７１０を取得することができるようになる。
【００５１】
＝＝＝予約情報取得処理＝＝＝
録画装置２（２００）は、所定の時間毎に、録画予約サーバ８００から予約情報７１０を取得する予約情報取得処理を行う。図１０は、予約情報取得処理の流れを説明する図である。
【００５２】
録画装置２（２００）において、予約情報取得要求送信部３０３は、パケット５００のコマンドフィールドに“３”を設定した予約情報取得要求を生成する（Ｓ４１１）。予約情報取得要求送信部３０３は、予約情報取得要求のデータフィールド５０２に、録画装置２（２００）自身の装置ＩＤを設定する。予約情報取得要求送信部３０３は、生成した予約情報取得要求を録画予約サーバ８００に送信する（Ｓ４１２）。
【００５３】
録画予約サーバ８００において、予約情報取得要求受信部４０２は、録画装置２（２００）から送信される予約情報取得要求を受信し（Ｓ４１３）、受信した予約情報取得要求のデータフィールド５０２に設定されている録画装置２（２００）の装置ＩＤを取得する。予約情報抽出部４０３は、取得した装置ＩＤが送信先装置ＩＤフィールド７１２に設定されている予約情報７１０を予約テーブル４１０から抽出する（Ｓ４１４）。予約情報送信部４０４は、パケット５００のコマンドフィールドに“４”を設定した予約情報応答メッセージを生成する。予約情報送信部４０４は、生成した予約情報応答メッセージのデータフィールド５０２に、抽出した予約情報７１０を設定する（Ｓ４１５）。予約情報送信部４０４は、予約情報取得要求の送信元である録画装置２（２００）に予約情報応答メッセージを送信する（Ｓ４１６）。
【００５４】
録画装置２（２００）において、予約情報受信部３０４は、予約情報応答メッセージを受信する（Ｓ４１７）。予約情報受信部３０４は、受信した予約情報応答メッセージのデータフィールド５０２に設定されている予約情報７１０の夫々を、予約テーブル３１０に登録する（Ｓ４１８）。
【００５５】
上記の予約情報取得処理によって、録画装置２（２００）は、録画予約サーバ８００の予約テーブル４１０に登録された、録画装置２（２００）が送信先として設定されている予約情報７１０を取得することができる。
【００５６】
以上説明したように、本実施形態の録画予約システム１００によれば、録画装置１（２００）（第１の録画装置）に入力された予約情報７１０は、録画装置１（２００）に登録されるとともに録画装置２（２００）（第２の録画装置）に送信され、録画装置２（２００）においても登録される。録画装置１（２００）及び録画装置２（２００）の夫々が同じ内容の予約情報７１０に基づいて番組を録画することにより、録画装置１（２００）及び録画装置２（２００）の夫々において同一の番組を録画することができる。これにより、ユーザは、録画装置１（２００）及び録画装置２（２００）の夫々で、録画されたデータを転送させることなく、同じ番組を視聴することができる。
【００５７】
また、デジタル放送などで規定されているように、放送される番組によっては、コピーが禁止されていたり、コピーの回数が制限されていたり、コピーをする場合にはコピー元のデータを削除するように規定されていたりすることがあるが、録画装置２（２００）は、録画データをコピーすることなく、録画装置１（２００）と同一の番組を録画することができるので、著作権を遵守しつつ、２つの録画装置において同一の番組の録画データを記録媒体に記録することができる。
【００５８】
また、予約情報７１０は録画予約サーバ８００（予約情報管理装置）を介して送信されるので、例えば、録画装置２（２００）がファイアウォール内に位置しているときなど、録画装置１（２００）が録画装置２（２００）に直接接続することができない場合にも、録画装置１（２００）から録画装置２（２００）に予約情報７１０を送信することができる。
【００５９】
＝＝＝予約情報の選択＝＝＝
上述した予約情報取得処理では、録画装置２（２００）の予約テーブル３１０に登録される予約情報７１０は、録画予約サーバ８００において、予約情報７１０の送信先装置ＩＤフィールド７１２に設定されている装置ＩＤに、予約情報取得要求に指定されている装置ＩＤが設定されているものが抽出されるものとしたが、録画装置２（２００）において、録画予約サーバ８００に登録されている全ての予約情報７１０から、ユーザが選択するようにしてもよい。
【００６０】
この場合、上述した図１０に示す予約情報抽出処理において、録画装置２（２００）は、予約情報取得要求のデータフィールド５０２に、録画装置２００の装置ＩＤとしては割り当てられない値である“０”を設定して（Ｓ４１１）、録画予約サーバ８００に送信する（Ｓ４１２）。
【００６１】
録画予約サーバ８００は、予約情報取得要求を受信し（Ｓ４１３）、受信した予約情報取得要求のデータフィールド５０２に“０”が設定されていた場合、予約テーブル４１０に登録されている全ての予約情報７１０を読み出す（Ｓ４１４）。録画予約サーバ８００は、読み出した予約情報７１０を設定した予約情報応答メッセージを生成し（Ｓ４１５）、予約情報取得要求の送信元である録画装置２（２００）に送信する（Ｓ４１６）。
【００６２】
録画装置２（２００）は、予約応答メッセージを受信すると（Ｓ４１７）、受信した予約応答メッセージに設定されている予約情報７１０を、ディスプレイなどの出力装置に表示する。録画装置２（２００）は、ユーザからの入力に応じて、ユーザによって選択された予約情報７１０を予約テーブル３１０に登録する（Ｓ４１８）。
【００６３】
上記の処理により、ユーザによって選択された予約情報７１０が、録画装置２（２００）の予約テーブル３１０に登録される。
【００６４】
録画装置２（２００）の予約テーブル３１０に登録される予約情報７１０は、ユーザが手動で選択する以外にも、例えば、ユーザから入力された番組属性情報についての条件に応じて、録画装置２（２００）が自動的に選択するようにしてもよい。番組属性情報についての条件には、例えば、番組のタイトルの正規表現による検索条件を示す情報（番組条件情報）がある。この場合、録画装置２（２００）は、ユーザから入力される番組のタイトルの正規表現を、予約情報取得要求のデータフィールド５０２に、予約情報７１０を抽出するための条件として設定する。録画予約サーバ８００は、予約テーブル４１０に記憶されている予約情報７１０のうち、番組タイトルフィールド７１４が、受信した予約情報取得要求のデータフィールド５０２に指定されている正規表現にマッチするものを抽出する。
【００６５】
上記のように録画予約サーバ８００が条件に従って抽出する予約情報７１０を絞り込むことにより、録画予約サーバ８００から録画装置２（２００）に送信されるデータ量を低減することが可能となる。また、ユーザは予め絞り込まれた予約情報７１０の一覧から、容易に録画の対象となるものを選択することができる。
【００６６】
＝＝＝代理録画処理＝＝＝
次に、録画装置１（２００）が録画を行うことができない場合に、録画装置２（２００）に対して録画予約を行い、録画装置２（２００）から録画データを受信する代理録画処理について説明する。録画装置１（２００）が録画を行うことができない場合とは、例えば、録画装置１（２００）が同時に１つの番組のみしか録画できず、既にある番組についての録画予約がなされており、その番組と同時刻に放送される別の番組の録画についての録画予約が行われるような場合である。
【００６７】
代理録画処理を行う場合、予約情報７１０には、上述した各フィールドに加え、録画によって記録されるデータの属性を示す情報であるデータ属性情報を設定するデータ属性フィールドを設ける。データ属性情報とは、例えば、「縦６４０ピクセル、横４８０ピクセル、１ピクセル１６ビット、ＭＰＥＧ２形式」といった、録画データの解像度や圧縮形式を特定する情報である。また、予約情報７１０には、当該予約情報７１０が代理予約処理に係るものであるかどうかを示すフラグ値を設定する代理フラグフィールドも設ける。
【００６８】
録画装置１（２００）は、上述した予約情報登録処理における予約情報登録要求の送信に代えて、録画装置２（２００）に依頼する録画に係る予約情報７１０を登録するように指示するコマンドである代理予約情報登録要求を送信する。代理予約情報登録要求は、パケット５００のコマンドフィールド５０１に“５”が設定されたものとする。代理予約情報登録要求のデータフィールド５０２には、録画装置２（２００）に依頼する録画に係る予約情報７１０が設定される。このとき、予約情報７１０のデータ属性フィールドには録画するデータの属性を示す情報が設定される。
【００６９】
録画予約サーバ８００は、録画装置１（２００）から代理予約情報登録要求を受信すると、予約情報７１０の代理フラグフィールドに「代理録画を行う」ことを示す値を設定して、予約情報７１０を予約テーブル４１０に登録する。なお、録画予約サーバ８００は、録画装置１（２００）から上述した予約情報登録要求を受信した場合には、代理フラグフィールドに「代理録画を行わない」ことを示す値を設定する。
【００７０】
録画装置２（２００）は、上述した予約情報取得処理によって録画予約サーバ８００から受信した予約情報応答メッセージに設定されている予約情報７１０を予約テーブル３１０に登録する。
【００７１】
予約テーブル３１０に登録されている予約情報７１０の代理フラグフィールドに「代理録画を行わない」ことを示す値が設定されている場合は、録画装置２（２００）は、予約情報７１０に基づいて放送される番組の録画を行い、録画処理を終了する。
【００７２】
一方、予約テーブル３１０に登録されている予約情報７１０の代理フラグフィールドに「代理録画を行う」ことを示す値が設定されている場合、録画装置２（２００）は、予約情報７１０のデータ属性フィールドに設定されているデータ属性情報を取得する。録画装置２（２００）は、予約情報７１０に基づき、データ属性情報に指定されている解像度やデータ形式で録画を行う。録画装置２（２００）は、予約情報７１０に設定されるデータ属性情報に指定されている解像度やデータ形式などで録画を行うことができない場合には、録画装置１（２００）にエラーを示す情報を送信する。録画装置２（２００）は、録画を終了すると、予約情報７１０の送信元装置ＩＤフィールド７１１に設定されている装置ＩＤに対応する録画装置１（２００）に録画データを送信する。録画装置２（２００）は、録画装置１（２００）に録画データを送信した後は、ハードディスクドライブ２０７に記録されている録画データを削除することができる。
【００７３】
録画装置１（２００）は、録画装置２（２００）から録画データを受信し、ハードディスクドライブ２０７に記録する。
【００７４】
以上説明した代理録画処理によって、録画装置１（２００）は、自ら録画を行うことなく、予約情報７１０に対応する番組の録画データをハードディスクドライブ２０７に記録することができる。従って、録画装置１（２００）が同時に複数の番組を録画することができない場合であっても、同時刻に放送される複数の番組についての録画データをハードディスクドライブ２０７に記録することができる。また、録画装置２（２００）では、録画装置１（２００）が指定する解像度や圧縮形式といった属性情報にしたがって録画が行われるので、録画装置１（２００）は、確実に再生することが可能な録画データを取得することができる。
【００７５】
なお、上記の代理録画処理では、録画装置１（２００）から録画装置２（２００）への録画データの送信は直接行われるようにしたが、録画予約サーバ８００を介するようにしてもよい。この場合、録画予約サーバ８００は、録画装置２（２００）から録画装置１（２００）の装置ＩＤが付帯された録画データを受信し、録画装置１（２００）の装置ＩＤと録画データとを対応付けて記憶する。録画装置１（２００）は、録画データの取得要求を録画予約サーバ８００に送信し、録画予約サーバ８００は受信した録画データの取得要求に応じて、録画データを録画装置１（２００）に送信する。
【００７６】
また、上記の代理録画処理では、録画予約サーバ８００が受信するパケット５００の種類に応じて予約情報７１０に付帯させるフラグ値を設定するようにしたが、録画装置１（２００）がフラグ値を設定するようにしてもよい。この場合、録画装置１（２００）は、予約情報登録要求を送信するようにすることができる。これにより、録画予約サーバ８００は、受信するパケット５００の種類に応じた処理を行う必要がなくなり、録画予約サーバ８００の処理負荷が低減される。
【００７７】
また、上記の代理録画処理においては、録画装置１（２００）に替えて、録画機能を持たない再生装置を採用することができる。この場合、再生装置は、録画装置２（２００）が録画したデータを受信するようにすることができるので、ユーザは再生装置に対して録画予約を行うことができる。さらに、再生装置は、録画装置２（２００）から録画データを取得し、録画データを再生することができる。この再生装置は、録画装置１（２００）から録画処理部３０５を除いた構成で実現できる。
【００７８】
以上、本実施形態について説明したが、上記実施例は本発明の理解を容易にするためのものであり、本発明を限定して解釈するためのものではない。本発明は、その趣旨を逸脱することなく、変更、改良され得ると共に、本発明にはその等価物も含まれる。
【００７９】
例えば、本実施形態では、録画装置２００が備えるハードディスクドライブ２０７は、録画装置２００に内蔵される形態としたが、これを外付けの形態としてもよい。また、ハードディスクドライブ２０７に替えて、ビデオテープなどの磁気テープ、ＤＶＤなどの光ディスク、フラッシュディスクなどの可搬型記録媒体にデータを書き込む記憶装置とすることもできる。
【００８０】
また、録画装置２００が録画の対象とする番組は、テレビ放送、ラジオ放送、データ放送で放送される各種の番組とすることができる。また、通信ネットワーク上で配信される番組を録画の対象とすることもできる。
【００８１】
また、本実施形態では、予約情報７１０を選択する条件となる番組属性情報として、番組のタイトルを用いるものとしたが、その他にも、例えば、ＥＰＧで提供される番組のジャンル、番組の説明、シリーズ名、番組内容、出演者などを表す情報を用いることができる。
【００８２】
また、録画装置２００は、録画予約サーバ８００の機能を備えるようにすることもできる。つまり、録画装置２００と録画予約サーバ８００を、ひとつの機器とすることもできる。例えば、録画装置２００の機能を備える携帯電話と、録画装置２００と録画予約サーバ８００とが一体となったハードディスクレコーダとによって、録画予約システム１００を構築した場合、ハードディスクレコーダに入力された予約情報７１０は、ハードディスクレコーダの備える予約テーブル３１０及び予約テーブル４１０の夫々に記憶され、ハードディスクレコーダは、携帯電話から送信される予約情報取得要求に応じて、予約テーブル４１０から予約情報７１０を抽出し、携帯電話に送信する。携帯電話は、ハードディスクレコーダから受信した予約情報７１０に基づいて番組の録画を行う。ユーザは、ハードディスクレコーダから携帯電話に録画データをコピーすることなく、携帯電話を用いて番組を視聴することができる。
【００８３】
また、本実施形態では、予約情報７１０は、録画予約サーバ８００を介して録画装置１（２００）から録画装置２（２００）に送信されるようにしたが、録画装置１（２００）から録画装置２（２００）に直接送信する形態としてもよい。この場合、録画装置２（２００）は、録画予約サーバ８００に予約情報取得処理を定期的に行わなくてもよい。録画装置２（２００）は、録画装置１（２００）から送信される予約情報７１０を受信し、受信した予約情報７１０を予約テーブル３１０に登録する。
【００８４】
また、本実施形態では、録画データは、ユーザから予約情報の入力を受け付けた録画装置１（２００）において必ず記録されるようにしたが、録画装置１（２００）においては録画データを記録しないようにしてもよい。例えば、第３の録画装置２００である録画装置３（２００）が通信ネットワークに接続している場合に、録画装置１（２００）は、予約情報７１０を予約テーブル３１０に登録することなく、録画装置２（２００）及び録画装置３（２００）の夫々に送信し、録画装置２（２００）及び録画装置３（２００）の夫々が、受信した予約情報７１０に基づいて録画を行うようにする。録画装置２（２００）及び録画装置３（０００）では同一の予約情報７１０に基づいて番組が録画されるので、録画装置２（２００）と録画装置３（２００）とにおいて同一の番組についての録画データを記録しておくことができる。この場合、ユーザは、どの録画装置２００に対して録画予約をする場合にも、録画装置１（２００）に対して録画予約の操作を行えばよいので、録画装置２００毎に操作方法が異なるような場合にも、同じ操作で録画予約を行うことができる。
【図面の簡単な説明】
【００８５】
【図１】本発明の一実施の形態による、録画予約システム１００の一構成例を示す図である。
【図２】本発明の一実施の形態による、録画装置２００の一構成例を示す図である。
【図３】本発明の一実施の形態による、録画装置２００の機能ブロック図である。
【図４】本発明の一実施の形態による、録画予約サーバ８００の一構成例を示す図である。
【図５】本発明の一実施の形態による、録画予約サーバ８００の機能ブロック図である。
【図６】本発明の一実施の形態による、録画予約サーバ８００が備える予約テーブル４１０と、予約テーブル４１０に登録される予約情報７１０の夫々の構成を説明する図である。
【図７】本発明の一実施の形態による、パケット５００の構成を示す図である。
【図８】本発明の一実施の形態による、録画予約処理を説明するための図である。
【図９】本発明の一実施の形態による、予約情報登録処理を説明するための図である。
【図１０】本発明の一実施の形態による、予約情報抽出処理を説明するための図である。
【符号の説明】
【００８６】
１００  録画予約システム                  １１０  通信ネットワーク
２００  録画装置                          ２０１  チューナ
２０２  ＣＰＵ                            ２０３  ＲＡＭ
２０４  ビデオ出力部                      ２０５  赤外線インタフェース部 
２０６  圧縮伸長部                        ２０７  ハードディスクドライブ
２０８  ネットワークインタフェース部      ２０９  ＡＤ変換部
２１０  タイマ                            ２２０  内部バス
２５０  リモートコントローラ
３０１  予約情報入力部                    ３０２  予約情報送信部
３０３  予約情報取得要求送信部            ３０４  予約情報受信部
３０５  録画処理部                        ３０６  再生処理部
３０７  装置検出部                        ３１０  予約テーブル
４０１  予約情報受信部                    ４０２  予約情報取得要求受信部
４０３  予約情報抽出部                    ４０４  予約情報送信部
４１０  予約テーブル
５００  パケット
５０１  コマンドフィールド                ５０２  データフィールド
７１０  予約情報                          ７１１  送信元装置ＩＤフィールド
７１２  送信先装置ＩＤフィールド          ７１３  番組ＩＤフィールド
７１４  番組タイトルフィールド            ７１５  放送局ＩＤフィールド
７１６  録画開始時刻フィールド            ７１７  録画終了時刻フィールド
７１８  予約登録時刻フィールド
８００  録画予約サーバ                    ８０１  ＣＰＵ
８０２  ＲＡＭ                            ８０３  ハードディスクドライブ
８０４  ネットワークインタフェース部      ８０５  タイマ
８２０  内部バス
【図１】
2005311793.tif 000003
【図２】
2005311793.tif 000004
【図３】
2005311793.tif 000005
【図４】
2005311793.tif 000006
【図５】
2005311793.tif 000007
【図６】
2005311793.tif 000008
【図７】
2005311793.tif 000009
【図８】
2005311793.tif 000010
【図９】
2005311793.tif 000011
【図１０】
2005311793.tif 000012